(57)【要約】【課題】解析エラーとなった真の原因を追求できるとともに、一定のメモリ内で必要な情報をより多く記憶することができる光学情報読取装置および光学情報読取システムを提供する。【解決手段】物品に付された光学情報２１を取り込む画像取込部１と、画像取込部に格納された画像から必要な部分を切り出し、この切り出した画像を二値化してデコードする解析部２と、解析部からの画像情報および解析情報を記憶する画像情報保存部７とを備え、解析部が解析エラーであると判断した場合に、画像および解析情報を記憶する光学情報読取装置である。解析エラー時に、解析エラーとなった画像だけでなく解析に用いた解析情報もあわせて保存する。【選択図】  図１
2004318305.tif 000002
【特許請求の範囲】
【請求項１】
物品に付された光学情報を読み取る画像取込部と、前記画像取込部に格納された画像から必要な部分を切り出し、この切り出した画像を処理する処理部と、前記処理部の処理した画像を記憶する画像記憶部と、前記処理部からの解析情報を記憶する解析情報記憶部とを備え、前記処理部が解析エラーであると判断した場合に、画像および解析情報を記憶する光学情報読取装置。
【請求項２】
物品に付された光学情報を読み取る画像取込部と、前記画像取込部に格納された画像から必要な部分を切り出し、この切り出した画像を処理する処理部と、前記処理部の処理した画像を記憶する画像記憶部と、前記処理部からの解析情報を記憶する解析情報記憶部と、解析エラーの種類を設定可能な設定部とを備え、前記処理部が設定した解析エラーが生じたと判断した場合に、そのときの画像および解析情報を記憶する光学情報読取装置。
【請求項３】
解析エラーとなった場合であって、処理部において画像の切り出しまでは正常に行われている場合には、この切り出した画像を画像記憶部に記憶する請求項１または２記載の光学情報読取装置。
【請求項４】
解析エラーとなった場合であって、処理部において画像の切り出しまでは正常に行われている場合には、この切り出した画像の四隅の座標情報を解析情報記憶部に記憶する請求項１または２記載の光学情報読取装置。
【請求項５】
記憶する画像を処理部で圧縮して画像記憶部に記憶する請求項１から４のいずれかに記載の光学情報読取装置。
【請求項６】
前記圧縮は、可逆圧縮である請求項５記載の光学情報読取装置。
【請求項７】
記憶する画像および解析情報を処理部で暗号化して画像記憶部に記憶する請求項１から６のいずれかに記載の光学情報読取装置。
【請求項８】
解析情報記憶部に記憶される解析情報は、時間情報を含む請求項１から７のいずれかに記載の光学情報読取装置。
【請求項９】
画像記憶部および解析情報記憶部に複数枚分の画像情報を記憶できる請求項１から８のいずれかに記載の光学情報読取装置。
【請求項１０】
前記複数枚分の画像情報を記憶できる画像記憶部および解析情報記憶部において、規定枚数を超えた場合に外部に報知する請求項９記載の光学情報読取装置。
【請求項１１】
前記複数枚分の画像情報を記憶できる画像記憶部および解析情報記憶部において、規定枚数を超えた場合に、それ以上画像情報を保存しない請求項９記載の光学情報読取装置。
【請求項１２】
前記複数枚分の画像情報を記憶できる画像記憶部および解析情報記憶部において、規定枚数を超えた場合に、最も古い画像情報を上書きする請求項９記載の光学情報読取装置。
【請求項１３】
前記複数枚分の画像情報を記憶できる画像記憶部および解析情報記憶部において、規定枚数を超えた場合に、それ以上画像情報を保存しないか、または最も古い画像情報を上書きするかを設定できる請求項１１または１２記載の光学情報読取装置。
【請求項１４】
画像記憶部および解析情報記憶部は、不揮発性メモリで構成されている請求項１から１３のいずれかに記載の光学情報読取装置。
【請求項１５】
光学情報が２次元コードである請求項１から１４のいずれかに記載の光学情報読取装置。
【請求項１６】
解析された画像および解析情報を送信するための外部機器への通信部を有する請求項１から１５のいずれかに記載の光学情報読取装置と、前記通信部から送信された画像を入力して解析する画像解析装置とを備えた光学情報読取システム。
【請求項１７】
外部機器からの識別情報を受信するための受信ポートと受信した前記識別情報に基づき通信可能と判断した場合に解析された画像および解析情報記憶部に保存した解析情報を前記外部機器に送信するための送信ポートとを有する請求項１から１５のいずれかに記載の光学情報読取装置と、前記光学情報読取装置に識別情報を送信し、前記送信ポートから送信された画像を入力して解析する画像解析装置とを備えた光学情報読取システム。
【請求項１８】
光学情報が設けられた複数の物品と、前記複数の物品に取り付けられた複数の光学情報を時系列的に読み取り、画像記憶部に記憶した画像および解析情報記憶部に保存した解析情報を表示する表示部を有する請求項１から１５のいずれかに記載の光学情報読取装置とを備えた光学情報読取システム。
【請求項１９】
光学情報が印字された複数の物品と、前記複数の物品に取り付けられた複数の光学情報を時系列的に読み取り、画像記憶部に記憶した画像を表示する表示部を有する請求項１から１５のいずれかに記載の光学情報読取装置とを備え、前記表示部に記憶している光学情報の画像を表示することで印字状態を確認可能な光学情報読取システム。
【請求項２０】
外部機器からの識別情報を受信するための受信ポートと受信した前記識別情報に基づき通信可能と判断した場合に解析された画像を前記外部機器に送信するための送信ポートとを有する請求項１から１５のいずれかに記載の光学情報読取装置と、前記光学情報読取装置に識別情報を送信し、前記送信ポートから送信された画像と解析情報に対し、解析に用いたパラメータを変化させて解析する画像解析装置とを備えた光学情報読取システム。
【発明の詳細な説明】
【０００１】
【発明の属する技術分野】
本発明は、光学情報読取装置および光学情報読取システムに関するものである。
【０００２】
【従来の技術】
従来から物品に付された光学情報を読み取る光学情報読取装置において、読み取りに失敗した時など、特定の条件に合致したときに当該画像を保存する光学情報読取装置および光学情報読取システムが提案されている（例えば、特許文献１参照）。
【０００３】
図３は、従来の光学情報読取装置を示すものである。図３において、１は画像を撮像し電気信号に変換する画像取込部で、２は画像取込部１が取り込んだ画像を解析する解析部で、３は解析部２に解析エラーが発生した場合に画像を保存するか否か判定する条件判定部で、１７は前記画像を保存する画像保存部である。
【０００４】
以上の構成において、画像取込部１は画像を撮像し、電気信号に変換する。電気信号に変換された画像は解析部２にて解析される。解析結果と前記画像は条件判定部３にて前記画像を保存するかどうか判定され、保存すると判定された場合には、前記画像を画像保存部１７に保存するものである。
【０００５】
しかし、前記従来の光学情報読取装置および光学情報読取システムでは、単に画像しか保存していないため解析エラーとなったことが、印字状態が悪かったのか、シャッター速度や露光時間の設定が適切になされていなかったためか判断することができなかった。
【０００６】
また、画像をそのまま保存しているためメモリを多く消費するという問題点があった。さらに、何時解析エラーが発生したのかもわからないという問題点があった。
【０００７】
【特許文献１】
特開２００２−２１６０７２号公報
【０００８】
【発明が解決しようとする課題】
上記従来の技術の問題点に鑑みて、本発明が解決しようとする課題は、読み取った情報の解析エラーとなった真の原因を追求できる光学情報読取装置および光学情報読取システムを提供するものである。
【０００９】
【課題を解決するための手段】
上記課題を解決するために、本発明の第１の光学情報読取装置は、物品に付された光学情報を読み取る画像取込部と、前記画像取込部に格納された画像から必要な部分を切り出し、この切り出した画像を処理する処理部と、前記画像取込部に格納された画像を記憶する画像記憶部と、前記処理部からの解析情報を記憶する解析情報記憶部とを備え、前記処理部が解析エラーであると判断した場合に、画像および解析情報を記憶する光学情報読取装置である。
【００１０】
また、本発明の第２の光学情報読取装置は、物品に付された光学情報を取り込む画像取込部と、前記画像取込部に格納された画像から必要な部分を切り出し、この切り出した画像を処理する処理部と、前記画像取込部に格納された画像を記憶する画像記憶部と、前記処理部からの解析情報を記憶する解析情報記憶部と、読取エラーの種類を設定可能な設定部とを備え、前記処理部が設定した解析エラーが生じたと判断した場合に、そのときの画像および解析情報を記憶する光学情報読取装置である。
【００１１】
また、本発明の第３の光学情報読取装置は、本発明の第１または第２の光学情報読取装置において、解析エラーとなった場合であって、処理部において画像の切り出しまでは正常に行われている場合には、この切り出した画像を画像記憶部に記憶する光学情報読取装置である。
【００１２】
また、本発明の第４の光学情報読取装置は、本発明の第１または第２の光学情報読取装置において、解析エラーとなった場合であって、処理部において画像の切り出しまでは正常に行われている場合には、この切り出した画像の四隅の座標情報を解析情報記憶部に記憶する光学情報読取装置である。
【００１３】
また、本発明の第５の光学情報読取装置は、本発明の第１から第４のいずれかに記載の光学情報読取装置において、記憶する画像を処理部で圧縮して画像記憶部に記憶する光学情報読取装置である。
【００１４】
また、本発明の第６の光学情報読取装置は、本発明の第５の光学情報読取装置において、圧縮が可逆圧縮である光学情報読取装置である。
【００１５】
また、本発明の第７の光学情報読取装置は、本発明の第１から第６のいずれかに記載の光学情報読取装置において、記憶する画像および記憶する解析情報を処理部で暗号化して画像記憶部に記憶する光学情報読取装置である。
【００１６】
また、本発明の第８の光学情報読取装置は、本発明の第１から第７のいずれかに記載の光学情報読取装置において、解析情報記憶部に記憶される解析情報は時間情報を含む光学情報読取装置である。
【００１７】
また、本発明の第９の光学情報読取装置は、本発明の第１から第８のいずれかに記載の光学情報読取装置において、画像記憶部および解析情報記憶部に複数枚分の画像情報を記憶できる光学情報読取装置である。
【００１８】
また、本発明の第１０の光学情報読取装置は、本発明の第９の光学情報読取装置において、規定枚数を超えた場合に外部に報知する光学情報読取装置である。
【００１９】
また、本発明の第１１の光学情報読取装置は、本発明の第９の光学情報読取装置において、規定枚数を超えた場合に、それ以上画像情報を保存しない光学情報読取装置である。
【００２０】
また、本発明の第１２の光学情報読取装置は、本発明の第９の光学情報読取装置において、規定枚数を超えた場合に、最も古い画像情報を上書きする光学情報読取装置である。
【００２１】
また、本発明の第１３の光学情報読取装置は、本発明の第１１または１２の光学情報読取装置において、規定枚数を超えた場合に、それ以上画像情報を保存しないか、または最も古い画像情報を上書きするかを設定できる光学情報読取装置である。
【００２２】
また、本発明の第１４の光学情報読取装置は、本発明の第１から１３のいずれかに記載の光学情報読取装置において、画像記憶部および解析情報記憶部が不揮発性メモリで構成されている光学情報読取装置である。
【００２３】
また、本発明の第１５の光学情報読取装置は、本発明の第１から１４のいずれかに記載の光学情報読取装置において、光学情報が２次元コードである光学情報読取装置である。
【００２４】
また、本発明の第１６の光学情報読取システムは、解析された画像および解析情報を送信するための外部機器への通信部を有する本発明１から１５のいずれかに記載の光学情報読取装置と、前記通信部から送信された画像を入力して解析する画像解析装置とを備えた光学情報読取システムである。
【００２５】
また、本発明の第１７の光学情報読取システムは、外部機器からの識別情報を受信するための受信ポートと受信した前記識別情報に基づき通信可能と判断した場合に解析された画像および解析情報記憶部に保存した解析情報を前記外部機器に送信するための送信ポートとを有する本発明の１から１５のいずれかに記載の光学情報読取装置と、前記光学情報読取装置に識別情報を送信し、前記送信ポートから送信された画像を入力して解析する画像解析装置とを備えた光学情報読取システムである。
【００２６】
また、本発明の第１８の光学情報読取システムは、光学情報が設けられた複数の物品と、前記複数の物品に取り付けられた複数の光学情報を時系列的に読み取り、画像記憶部に記憶した画像および解析情報記憶部に保存した解析情報を表示する表示部を有する本発明の１から１５のいずれかに記載の光学情報読取装置とを備えた光学情報読取システムである。
【００２７】
また、本発明の第１９の光学情報読取システムは、光学情報が印字された複数の物品と、前記複数の物品に取り付けられた複数の光学情報を時系列的に読み取り、画像記憶部に記憶した画像を表示する表示部を有する本発明の１から１５のいずれかに記載の光学情報読取装置とを備え、前記表示部に記憶している光学情報の画像を表示することで印字状態を確認可能な光学情報読取システムである。
【００２８】
また、本発明の第２０の光学情報読取システムは、外部機器からの識別情報を受信するための受信ポートと受信した前記識別情報に基づき通信可能と判断した場合に解析された画像を前記外部機器に送信するための送信ポートとを有する請求項１から１５のいずれかに記載の光学情報読取装置と、前記光学情報読取装置に識別情報を送信し、前記送信ポートから送信された画像と解析情報に対し、解析に用いたパラメータを変化させて解析する画像解析装置とを備えた光学情報読取システムである。
【００２９】
【発明の実施の形態】
本発明の目的は各請求項に記載した構成を実施の形態の要部とすることにより達成できるので、以下には請求項１ないし２０に対応する一実施例についての詳細を図１〜図２に基づき説明し、併せて効果を述べて本発明の実施の形態についての説明とする。
【００３０】
（実施の形態１）
本発明における実施の形態１である光学情報読取装置を図１により説明する。図１において、２０は本発明の実施形態である光学情報読取装置で、次のように構成されている。すなわち、画像を撮像し電気信号に変換する画像取込部１と、前記取り込んだ画像を解析する解析部２と、解析した画像および解析時の情報（解析情報ともいう）を保存するか否か判定する条件判定部３と、解析した画像および解析時の情報を保存する条件を設定する保存条件設定部４と、解析した画像および解析情報を可逆圧縮する圧縮部５と、解析した画像および解析情報を暗号化する暗号化部６と、解析した画像および解析に用いた情報を保存する画像情報保存部７であり、保存位置設定部９の設定に基づき画像情報保存部７のどの位置に前記解析した画像および解析時の情報を保存するか決定する保存位置決定部８と、時刻を取得する時計部１０と、外部機器と通信を行う受信ポートおよび送信ポート（図示せず）を有する通信部１１と、外部に報知するブザー等の報知部１２と、外部機器との送受信の認証を行う認証部１３と認証の要不要を設定する認証設定部１４と、解析情報保存部７に保存された情報を表示する表示部１５を備えている。
【００３１】
そして、画像取込部１は、例えば物品に付された２次元コードのような光学情報２１を検出するセンサおよびセンサにより検出した画像を取り込む格納部をそれぞれ有したＣＣＤ撮像素子内蔵のカメラを使用し、撮像した光学情報２１を電気信号に変換する。解析部２は、条件判定部３と保存条件設定部４と圧縮部５と暗号化部６とで、画像取込部１からの画像を処理する処理部を構成し、例えばＣＰＵ、ＲＯＭ、ＲＡＭなどから構成され、画像取込部１が格納部に格納した画像から必要な部分を切り出し、この切り出した画像を二値化してデコードする。
【００３２】
解析した画像および解析時の情報を保存するか否か判定する条件判定部３は、解析部２による例えば二値化エラーであるとか、デコードエラーであるとかの解析エラーとするエラーの種類を設定するものである。従って、解析フェーズにおいて、ある時点まで解析できたエラーのみを保存することができる。
【００３３】
解析した画像および解析時の情報を保存する条件を設定する保存条件設定部４は、取り込んだ画像全てを保存するか、切り出しまで成功していた場合は切り出した部分画像のみを保存するか決定する。解析した画像および解析情報を圧縮する圧縮部５は、画像圧縮アルゴリズムとしてＪＰＥＧ２０００の可逆圧縮モードを用いている。解析した画像および解析情報を暗号化する暗号化部６は、暗号化アルゴリズムとしてＴｒｉｐｌｅ−ＤＥＳを用い、暗号化することで解析情報から推測される恐れのある解析アルゴリズムを隠蔽することができる。
【００３４】
解析した画像および解析に用いた情報を保存する画像情報保存部７は、暗号化部６で暗号化された画像を記憶する画像記憶部および解析情報を記憶する解析情報記憶部を有し、本実施の形態では不揮発性メモリであるＦｌａｓｈＲＯＭを用い、本光学読取装置２０の電源が遮断された場合にも前記保存情報を保持することができるようにしている。
【００３５】
保存位置設定部９は、保存した画像情報および解析情報が規定の枚数を超えた場合に報知部１２に信号を送り、外部に報知させる、または、用途に応じた設定が可能なように、保存する画像情報および解析情報が規定の複数枚数を超えた場合に、最も古い画像情報および解析情報が保存されている画像情報保存部７のエリアを上書きするか否かの設定部としても良いし、両方の機能を備えさせても良い。
【００３６】
以上のような構成における光学情報読取装置２０において、まず画像取込部１は、光学情報２１を撮像し電気信号に変換するとともに、電気信号に変換された光学情報を解析部２に送る。解析部２は光学情報２１の画像から必要な部分を切り出し、二値化し、デコードを行うとともに、光学情報２１の解析エラーが発生した場合、条件判定部３により前記画像を保存するか否かが判定される。そして、条件判定部３により前記画像を保存すると判定された場合は、保存条件設定部４により設定された、取り込んだ全ての画像、または切り出しまで成功している部分画像が、圧縮部５により圧縮される。
【００３７】
前記圧縮された画像は、解析部２で用いた前記保存する画像および解析アルゴリズムだけでは得ることのできない解析情報、例えば画像を取込むシャッター速度、露光時間、前回読取りから適応的に決まる二値化の閾値などの解析時に用いた情報とともに暗号化部６により、暗号化される。前記暗号化された画像情報および解析情報は、画像情報保存部７に、保存位置設定部８の設定に基づき保存位置決定部９により決定されたエリアに、時計部１０より得られる画像を撮像した日時等の時刻とともに保存される。なお、解析エラーとなった場合であって、処理部において画像の切り出しまでは正常に行われている場合には、この切り出した画像の四隅の座標情報を画像情報保存部７の解析情報記憶部に記憶する。
【００３８】
ここで、保存位置決定部９は保存する画像情報および解析情報が規定の枚数を超えた場合、報知部１２より外部に報知する。外部に報知することにより、作業者に報知することができ、適切な処置をとることができる。
【００３９】
また、画像情報保存部７に蓄積された情報は、通信部１１の送信ポートより外部機器へ送信することができる。このとき認証設定部１４に基づき予め認証部１３によって認証された外部機器にのみ画像情報保存部７に蓄積された情報を送信するように制限をかけることもできる。
【００４０】
また、画像情報保存部７に蓄積された情報は、表示部１５にて表示することができ、目視にて印字状態を確認することができる。
【００４１】
以上のように本実施の形態における第１の光学情報読取装置によれば、解析エラーが発生した場合に、画像のほかに画像に含まれない解析時の情報も記憶しているため、解析エラーが発生した真の原因を追求することができる。
【００４２】
また、本発明の第２の光学情報読取装置によれば、本発明第１の光学情報読取装置の効果に加え、判定条件を満たさない画像をはじくことにより、画像保存部を有効利用できるとともに、解析エラーの種類を絞り込むことができるため、後の解析時に利用することができ、読取率の向上に役立てることができる。
【００４３】
また、本発明の第３の光学情報読取装置によれば、本発明第１または２の光学情報読取装置の効果に加え、解析エラーの場合、正常に切り出した画像のみを画像保存するので必要なメモリ容量を節約できる。
【００４４】
また、本発明第４の光学情報読取装置によれば、本発明第１または２の光学情報読取装置の効果に加え、切り出した画像の四隅の座標情報を保存することにより、後で解析するときに切り出しが適切であったか否かを判断することができる。
【００４５】
また、本発明第５の光学情報読取装置によれば、本発明第１から４の光学情報読取装置の効果に加え、記憶する画像を圧縮することにより、画像保存部に必要なメモリ容量をさらに節約できる。
【００４６】
また、本発明第６の光学情報読取装置によれば、本発明第５の光学情報読取装置の効果に加え、圧縮方式として可逆圧縮を用いているため、後で完全に画像を復元することができる。
【００４７】
また、本発明第７の光学情報読取装置によれば、本発明第１から６の光学情報読取装置の効果に加え、画像情報、解析情報などから、公にしたくない画像解析アルゴリズムを第三者から隠蔽することができる。
【００４８】
また、本発明第８の光学情報読取装置によれば、本発明第１から７の光学情報読取装置の効果に加え、画像を取得した時間も合わせて保存するため、何時解析エラーが発生したのか、どれぐらいの頻度で発生しているのか、一定時間に連続して発生したものなのかを知ることができ、後の原因分析に役立てることができる。
【００４９】
また、本発明第９の光学情報読取装置によれば、本発明第１から８の光学情報読取装置の効果に加え、複数枚の画像を保存できることで、後の原因分析に利用することができるより多くの情報を収集することができ、読取率の向上に役立てることができる。
【００５０】
また、本発明第１０の光学情報読取装置によれば、本発明第１から９の光学情報読取装置の効果に加え、規定枚数に達した場合外部に報知することで、作業者が適切な処理をすばやく行うことができ、作業者の利便性が向上する。
【００５１】
また、本発明第１１の光学情報読取装置によれば、本発明第９の光学情報読取装置の効果に加え、規定枚数に達した場合それ以上画像を保存しないことで、それまでに収集された情報を保持することができる。
【００５２】
また、本発明第１２の光学情報読取装置によれば、本発明第９の光学情報読取装置の効果に加え、規定枚数に達した場合、最も古い画像情報に上書きしていくことで、常に最新の情報を保持することができる。
【００５３】
また、本発明第１３の光学情報読取装置によれば、本発明第１１または１２の光学情報読取装置の効果に加え、規定枚数に達した場合、それ以上画像を保存しないか最も古い画像情報に上書きしていくことが設定できることで、例えばリアルタイムに状況を取得したい場合は常に最新の情報が格納されているように、一度エラーが発生すると同じエラーが連続して発生するような用途に用いられる場合は、規定枚数に達した場合それ以上画像を保存しないことで、格納される情報が重複しないようにできるなど、用途に応じた設定ができ、作業者の利便性、保守性が向上する。
【００５４】
また、本発明第１４の光学情報読取装置によれば、本発明第１から１３の光学情報読取装置の効果に加え、画像記憶部、解析情報記憶部を不揮発性メモリとすることで、電源が途切れた場合にも情報を保持することができる。特に電池駆動の光学情報読取装置に本発明を適用した場合、その効果は非常に大である。
【００５５】
また、本発明第１５の光学情報読取装置は、光学情報が２次元コードである場合に、本発明第１から１４の光学情報読取装置を適用することであるが、２次元コードは、目視でデコードすることが、ほとんど不可能であるため、解析エラー時の原因分析において、その効果は非常に大である。
【００５６】
なお、本実施の形態では保存位置設定部９により、保存した画像情報および解析情報が規定の複数枚数を超えた場合に、最も古い画像情報および解析情報が保存されている画像情報保存部７のエリアを上書きするか否かの設定をしたが、規定の複数枚数を超えた場合には、それ以上情報を保存しないようにしても良い。
【００５７】
また、本実施の形態では画像情報保存部が一つで画像記憶部と解析情報記憶部を構成したが、それぞれ別個に設けても良い。
【００５８】
（実施の形態２）
本発明の実施の形態２における光学情報読取システムを図２により説明する。図２において、２０は本発明の実施の形態１で説明した光学情報読取装置で、２１は読取対象である２次元コード等の光学情報で、２２は光学情報２１が印字された物品で、２３は光学情報読取装置２０と通信を行う外部機器としての画像解析装置であり、光学情報読取装置２０とは事前にデータの送受信を行う相手であることの認証を行っている。
【００５９】
すなわち、画像解析装置２３は、光学情報読取装置２０と送受信を行う通信ポートを有し、一方、光学情報読取装置２０は画像解析装置２３から送信された識別情報を通信部１１の受信ポートで受信し、この識別情報に基づき認証部１３により通信可能と判断した場合に、画像情報保存部７からの解析された画像および解析情報を通信部１１の送信ポートより画像解析装置２３に送信する。
【００６０】
画像解析装置２３は、例えばパーソナルコンピュータのように表示部を備えたもので、光学情報読取装置２０からネットワーク２５を介して送られた情報を、暗号化されている場合は復号化、圧縮されている場合は解凍して、送られてきた画像を表示することにより、画像の印字状態を確認できるものである。そして、２４はベルトコンベアで、物品２２を連続して搬送する。
【００６１】
以上の構成からなる光学情報読取システムにおいて、ベルトコンベア２４上を光学情報２１が印字された物品２２が順に流れてくる。光学情報読取装置２０は、ベルトコンベア２４により搬送されてきた各物品２２から既知の方法で光学情報２１を順次に読み取る。このとき、読取エラーが発生した場合、光学情報読取装置２０は、実施の形態１で述べた方法で画像記憶部、解析情報記憶部を有する画像情報保存部７に蓄積された情報を、通信部１１よりネットワーク２５を介して画像解析装置２３に送信する。
【００６２】
画像解析装置２３は、光学情報読取装置２０から送られきた画像と解析時に用いた情報により、解析を再現することができる。また画像解析装置２３は、解析時に用いた情報を変化させて解析をすることもでき、読み取りができなかった場合に印字状態が悪いのか、光学情報読取装置２０の設定値が好ましくないのかを判断することもできる。
【００６３】
以上のように本実施の形態における本発明の第１６の光学情報読取システムは、解析された画像および解析情報を送信するための外部機器への通信部を有する本発明１から１５のいずれかに記載の光学情報読取装置と、前記通信部から送信された画像を入力して解析する画像解析装置とを備えているので、例えばネットワークを介して離れた場所で画像解析装置にて解析エラー時の原因分析を行うことができる。
【００６４】
また、本発明の第１７の光学情報読取システムは、外部機器からの識別情報を受信するための受信ポートと受信した前記識別情報に基づき通信可能と判断した場合に解析された画像および解析情報を前記外部機器に送信するための送信ポートとを有する本発明１から１５のいずれかに記載の光学情報読取装置と、前記光学情報読取装置に識別情報を送信し、かつ前記送信ポートから送信された画像を入力して解析する画像解析装置とを備えることで、本発明第１６の光学情報読取システムの効果に加え、識別情報により認証した相手にしか情報を送らないため、より安全に離れた場所で画像解析装置にて解析エラー時の原因分析を行うことができる。
【００６５】
また、本発明の第１８の光学情報読取システムは、光学情報が設けられた複数の物品と、前記複数の物品に取り付けられた複数の光学情報を時系列的に読み取り、画像記憶部に記憶した画像および解析情報記憶部に保存した解析情報を表示する表示部を有する本発明１から１５のいずれかに記載の光学情報読取装置とを備えることで、エラー時の画像を目視することができ、原因分析に役立てることができる。
【００６６】
また、本発明の第１９の光学情報読取システムは、光学情報が印字された複数の物品と、前記複数の物品に取り付けられた複数の光学情報を時系列的に読み取り、画像記憶部に記憶した画像を表示する表示部を有する本発明１から１５のいずれかに記載の光学情報読取装置とを備え、前記表示部に記憶している光学情報の画像を表示することで印字状態を確認可能とすることで、例えば印字システムにおいて、印字ノズルのつまり具合、インクジェットの絞り具合などを容易にかつ適切に調整することができる。
【００６７】
また、本発明の第２０の光学情報読取システムは、外部機器からの識別情報を受信するための受信ポートと受信した前記識別情報に基づき通信可能と判断した場合に解析された画像を前記外部機器に送信するための送信ポートとを有する請求項１から１５のいずれかに記載の光学情報読取装置と、前記光学情報読取装置に識別情報を送信し前記送信ポートから送信された画像と解析情報に対し、解析に用いたパラメータを変化させて解析する画像解析装置とを備えることにより、読み取りができなかった場合に印字状態が悪いのか、光学情報読取装置の設定値が好ましくないのかを判断することもでき、原因分析にさらに役立てることができるとともに、光学情報読取装置の設定値を容易に適切に設定するよう調整することができる。
【００６８】
【発明の効果】
以上のように本発明の光学情報読取装置によれば、解析エラーが発生した場合に、画像のほかに画像に含まれない解析時の情報も記憶しているため、解析エラーが発生した原因を確実に追求することができる。
【００６９】
また、本発明の光学情報読取システムは、例えばネットワークを介して離れた場所で画像解析装置にて解析エラー時の原因分析を行うことができる。
【図面の簡単な説明】
【図１】本発明の実施の形態１における光学情報読取装置を示すブロック図
【図２】本発明の実施の形態２における光学情報読取システを示す図
【図３】従来の光学情報読取装置の説明図
【符号の説明】
１    画像取込部
２    解析部（処理部）
３    条件判定部（処理部）
４    保存条件設定部（処理部）
５    圧縮部（処理部）
６    暗号化部（処理部）
７    画像情報保存部（画像記憶部と解析情報記憶部）
８    保存位置決定部
９    保存位置設定部
１０    時計部
１１    通信部
１２    報知部
１３    認証部
１４    認証設定部
１５    表示部
２０    光学情報読取装置
２１    光学情報
２２    物品
２３    画像解析装置
【図１】
2004318305.tif 000003
【図２】
2004318305.tif 000004
【図３】
2004318305.tif 000005